(57)【特許請求の範囲】
【請求項１】
コードブックを用いた非直交多重化の対象となる複数のレイヤのうちの、端末装置に割り当てられるレイヤを示す情報を取得する取得部と、
前記レイヤを前記端末装置に通知する通知部と、
複数のコードブックグループのうちの、前記複数のレイヤに対応するコードブックグループを選択する選択部と、
前記コードブックグループに基づいて、前記複数のレイヤについての通信処理を行う通信処理部と、
を備え、
前記複数のコードブックグループは、少なくとも、第１の数のレイヤに対応する第１のコードブックグループと、前記第１の数よりも小さい第２の数のレイヤに対応する第２のコードブックグループとを含み、
前記第２のコードブックグループに含まれる少なくとも１つのコードブックは、前記第１のコードブックグループに含まれるいずれのコードブックとも、異なる変調度の信号要素を含むコードワードを含む、装置。
【請求項２】
前記通知部は、ダウンリンク制御情報の中で、前記レイヤを前記端末装置に通知する、請求項１に記載の装置。
【請求項３】
前記通知部は、前記ダウンリンク制御情報の中で、前記レイヤのコードワードの送信に使用される無線リソースを前記端末装置に通知する、請求項２に記載の装置。
【請求項４】
前記第１の数のレイヤは、許容可能な最大数のレイヤであり、
前記第２の数のレイヤは、許容可能な最大数よりも小さい数のレイヤである、
請求項１〜３のいずれか１項に記載の装置。
【請求項５】
前記第２のコードブックグループに含まれる前記少なくとも１つのコードブックは、前記第１のコードブックグループに含まれるいずれのコードブックよりも、より高い変調度の信号要素を含むコードワードを含み、
より高い変調度の前記信号要素は、より少数のレイヤの信号要素がマッピングされる無線リソースにマッピングされる信号要素である、
請求項１〜４のいずれか１項に記載の装置。
【請求項６】
前記第２のコードブックグループは、少なくとも、第１の変調度の信号要素、及び前記第１の変調度とは異なる第２の変調度の信号要素とを含む、請求項１〜５のいずれか１項に記載の装置。
【請求項７】
前記第２のコードブックグループに含まれる少なくとも１つのコードブックは、前記第１のコードブックグループに含まれるいずれのコードブックよりも、より多数のコードワードを含む、請求項１〜６のいずれか１項に記載の装置。
【請求項８】
前記通信処理は、前記複数のレイヤについての送信処理である、請求項１〜７のいずれか１項に記載の装置。
【請求項９】
前記送信処理は、前記複数のレイヤの各々について、レイヤのデータから当該レイヤのコードワードを生成することを含む、請求項８に記載の装置。
【請求項１０】
前記通信処理は、前記複数のレイヤについての受信処理である、請求項１〜７のいずれか１項に記載の装置。
【請求項１１】
前記通知部は、前記コードブックグループ、又は、前記複数のレイヤ若しくは前記複数のレイヤのレイヤ数を、前記端末装置に通知する、請求項１〜１０のいずれか１項に記載の装置。
【請求項１２】
前記複数のレイヤの各々を端末装置に割り当てる割当部をさらに備え、
前記割当部は、トラフィックの変化に応じて、前記非直交多重化の対象となる前記複数のレイヤのレイヤ数を変更する、
請求項１〜１１のいずれか１項に記載の装置。
【請求項１３】
プロセッサにより、
コードブックを用いた非直交多重化の対象となる複数のレイヤのうちの、端末装置に割り当てられるレイヤを示す情報を取得することと、
前記レイヤを前記端末装置に通知することと、
複数のコードブックグループのうちの、前記複数のレイヤに対応するコードブックグループを選択することと、
前記コードブックグループに基づいて、前記複数のレイヤについての通信処理を行うことと、
を含み、
前記複数のコードブックグループは、少なくとも、第１の数のレイヤに対応する第１のコードブックグループと、前記第１の数よりも小さい第２の数のレイヤに対応する第２のコードブックグループとを含み、
前記第２のコードブックグループに含まれる少なくとも１つのコードブックは、前記第１のコードブックグループに含まれるいずれのコードブックとも、異なる変調度の信号要素を含むコードワードを含む方法。
【請求項１４】
コードブックを用いた非直交多重化の対象となる複数のレイヤのうちの、端末装置に割り当てられるレイヤを示す情報、及び、複数のコードブックグループのうちの、前記複数のレイヤに対応するコードブックグループを示す情報を取得する取得部と、
前記レイヤを示す前記情報、及び、前記コードブックグループに基づいて、前記レイヤについての通信処理を行う通信処理部と、
を備え、
前記複数のコードブックグループは、少なくとも、第１の数のレイヤに対応する第１のコードブックグループと、前記第１の数よりも小さい第２の数のレイヤに対応する第２のコードブックグループとを含み、
前記第２のコードブックグループに含まれる少なくとも１つのコードブックは、前記第１のコードブックグループに含まれるいずれのコードブックとも、異なる変調度の信号要素を含むコードワードを含む装置。
【請求項１５】
前記通信処理は、前記レイヤについての受信処理である、請求項１４に記載の装置。
【請求項１６】
前記通信処理は、前記レイヤについての送信処理である、請求項１４に記載の装置。
【発明の詳細な説明】
【技術分野】
【０００１】
本開示は、装置及び方法に関する。
【背景技術】
【０００２】
近年、ＬＴＥ（Long  Term  Evolution）の次の第５世代無線方式のために、新しい無線アクセス方式が様々な方面で検討されている。とりわけ、非直行多重化（Non-Orthogonal  Multiplexing）／非直交多元接続（Non-Orthogonal  Multiple  Access）が検討されている。このような状況の中で、ＳＣＭＡ（Sparse  Code  Multiple  Access）と呼ばれる新たな多元接続方式が提案されている。【０００３】
例えば、非特許文献１には、ＳＣＭＡが開示されている。また、例えば、特許文献１には、ＳＣＡＭのコードブックによるコードワードの生成手法と、当該コードブックの設計手法の例が開示されている。
【先行技術文献】
【特許文献】
【０００４】
【特許文献１】米国特許出願公開第２０１４／０１４０３６０号
【非特許文献】
【０００５】
【非特許文献１】Sparse  Code  Multiple  Access,  in  2013  IEEE  24th  International  Symposium  on  Personal,  Indoor  and  Mobile  Communications
【発明の概要】
【発明が解決しようとする課題】
【０００６】
ＳＣＭＡでは、多重化の対象となる複数のレイヤの各々について、レイヤのためのコードブックに基づいて、当該レイヤのデータから当該レイヤのコードワードが生成され、当該コードワードが送信される。【０００７】
しかし、端末装置に割り当てられるレイヤは、必ずしも固定的に決められているわけではないので、端末装置は、当該端末装置に割り当てられたレイヤを知らなければ、当該レイヤについての通信処理を行うことが困難である。【０００８】
そこで、コードブックを用いた非直交多重化が用いられる場合に端末装置が当該端末装置に割り当てられたレイヤを知ることを可能にする仕組みが提供されることが望ましい。
【課題を解決するための手段】
【０００９】
本開示によれば、コードブックを用いた非直交多重化の対象となる複数のレイヤのうちの、端末装置に割り当てられるレイヤを示す情報を取得する取得部と、上記レイヤを上記端末装置に通知する通知部と、を備える装置が提供される。【００１０】
また、本開示によれば、プロセッサにより、コードブックを用いた非直交多重化の対象となる複数のレイヤのうちの、端末装置に割り当てられるレイヤを示す情報を取得することと、上記レイヤを上記端末装置に通知することと、を含む方法が提供される。【００１１】
また、本開示によれば、コードブックを用いた非直交多重化の対象となる複数のレイヤのうちの、端末装置に割り当てられるレイヤを示す情報を取得する取得部と、上記レイヤを示す上記情報に基づいて、上記レイヤについての通信処理を行う通信処理部と、を備える装置が提供される。
【発明の効果】
【００１２】
以上説明したように本開示によれば、コードブックを用いた非直交多重化が用いられる場合に端末装置が当該端末装置に割り当てられたレイヤを知ることが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１３】
【図１】ＳＣＭＡについての概略的な処理の一例を説明するための説明図である。
【図２】コードブックに基づくコードワードの生成の例を説明するための説明図である。
【図３】コードブックの例を説明するための説明図である。
【図４】コードブックのリソースマッピングの例を説明するための説明図である。
【図５】本開示の実施形態に係るシステムの概略的な構成の一例を示す説明図である。
【図６】同実施形態に係る基地局の構成の一例を示すブロック図である。
【図７】同実施形態に係る端末装置の構成の一例を示すブロック図である。
【図８】コードワードの送信に使用される無線リソースであるブロックの例を説明するための説明図である。
【図９】複数のレイヤのコードワードの無線リソースへのマッピングの第１の例を説明するための説明図である。
【図１０】複数のレイヤのコードワードの無線リソースへのマッピングの第２の例を説明するための説明図である。
【図１１】基地局の送信処理全体の第１の例を説明するための説明図である。
【図１２】基地局の送信処理全体の第２の例を説明するための説明図である。
【図１３】第１のコードブックグループに基づいて生成されるコードワードの例を説明するための説明図である。
【図１４】第２のコードブックグループに基づいて生成されるコードワードの例を説明するための説明図である。
【図１５】同実施形態に係る処理の概略的な流れの第１の例を示すフローチャートである。
【図１６】同実施形態に係る処理の概略的な流れの第２の例を示すフローチャートである。
【図１７】ｅＮＢの概略的な構成の第１の例を示すブロック図である。
【図１８】ｅＮＢの概略的な構成の第２の例を示すブロック図である。
【図１９】スマートフォンの概略的な構成の一例を示すブロック図である。
【図２０】カーナビゲーション装置の概略的な構成の一例を示すブロック図である。
【発明を実施するための形態】
【００１４】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１６】
なお、説明は以下の順序で行うものとする。
１．はじめに
１．１．ＳＣＭＡ
１．２．技術的課題
２．システムの概略的な構成
３．各装置の構成
３．１．基地局の構成
３．２．端末装置の構成
４．技術的特徴
５．処理の流れ
６．応用例
６．１．基地局に関する応用例
６．２．端末装置に関する応用例
７．まとめ
【００１７】
＜＜１．はじめに＞＞
はじめに、図１〜図４を参照して、ＳＣＭＡ及び技術的課題を説明する。
【００１８】
＜１．１．ＳＣＭＡ＞
まず、図１〜図４を参照して、ＳＣＭＡを説明する。
【００１９】
（１）概略的な処理の流れ
図１は、ＳＣＭＡについての概略的な処理の一例を説明するための説明図である。
【００２０】
例えば、ＳＣＭＡでは、誤訂正符号化が行われ、コードブックに基づいて、誤訂正符号化後のデータ（バイナリーデータ）からコードワードが生成される。具体的には、例えば、上記コードブックは、データ候補とコードワードとの対応を示す情報であり、データは、上記コードブックにおいて当該データに対応するコードワードに変換される。なお、レイヤ分離のために、レイヤごとのコードブックが用意される。
【００２１】
さらに、生成されたコードワード内の各信号要素は、対応する無線リソースにマッピングされる。例えば、まず、複数のレイヤのコードワードが多重化され、その後、多重化コードワード内の各信号要素が、対応する無線リソースにマッピングされる。あるいは、まず、複数のレイヤの各々について、レイヤのコードワード内の各信号要素が、対応する無線リソースにマッピングされ、その後、同一の無線リソースにマッピングされた２つ以上の信号要素（即ち、異なるレイヤの信号要素）が、多重化されてもよい。
【００２２】
その後、無線リソースにマッピングされた信号要素が送信される。
【００２３】
上述したように、複数のレイヤのコードワードが、同一の無線リソースにおいて送信される。即ち、複数のレイヤの間で無線リソースが共用される。そのために、ＳＣＭＡは、ＯＦＤＭＡのような直交アクセス方式ではなく、非直交アクセス方式である。
【００２４】
（２）コードワードの生成
図２は、コードブックに基づくコードワードの生成の例を説明するための説明図である。図２を参照すると、データ候補ｂｉ及びコードワードｘｊが示されている。コードブックの大きさ、即ち、データ候補ｂｉの数、及びコードワードｘｊの数が、それぞれＭである。この場合に、例えば、入力情報であるデータは、ビットを要素として含むベクトルであり、ｌｏｇ２Ｍの長さを有する。また、出力情報であるコードワードは、複素数を信号要素として含むベクトルであり、コードワードの送信に用いられる無線リソースの数Ｋと同じ長さを有する。したがって、コードブックは、入力情報及び出力情報がそれぞれベクトルである関数であるとも言える。出力情報であるコードワードは、レイヤ多重に適した所望の条件を満たすことが求められる。
【００２５】
（３）コードブックの例
図３は、コードブックの例を説明するための説明図である。図３を参照すると、コードブック１〜６が示さている。コードブック１〜６は、レイヤ１〜６のためのコードブックである。このように、ＳＣＭＡでは、レイヤごとにコードブックが用意される。この例では、入力情報であるデータは２ビットのデータであり、データ候補の数は４である。そのため、各コードブック内におけるコードワードの数も４である。各コードブック内のコードワードでは、４つの信号要素（即ち、複素数）のうちの２つが０であり、異なる２つのコードワードは互いに疎である。また、各コードブック内のコードワードでは、４つの信号要素のうちの２つが０ではない。即ち、４つの信号要素のうちの０ではない信号要素の数Ｎは、２である。
【００２６】
（４）リソースマッピングの例
図４は、コードブックのリソースマッピングの例を説明するための説明図である。図４を参照すると、６つのレイヤと４つの無線リソースとが示されている。この例では、各レイヤのコードワード内の信号要素の数が４であるため、４つの無線リソースが用意される。例えば、各レイヤのコードワードに含まれる４つの信号要素のうちの、０ではない信号要素（即ち、２つの信号要素）が、対応する無線リソースにそれぞれマッピングされる。具体的には、例えば、レイヤ１のコードワード内の１番目の信号要素は、無線リソース１にマッピングされ、レイヤ１のコードワード内の２番目の信号要素は、無線リソース２にマッピングされる。例えば、レイヤ３のコードワード内の１番目の信号要素は、無線リソース１にマッピングされ、レイヤ３のコードワード内の３番目の信号要素は、無線リソース３にマッピングされる。
【００２７】
この例では、許容レイヤ数Ｊは、４つの無線リソースのうちの２つの組合せ（４Ｃ２＝６）と等しい。このように、６つのレイヤを４つの無線リソースにマッピングする場合には、実現されるオーバーロードは、１５０％である。
【００２８】
（５）受信側での処理
ＳＣＭＡでは、上述したように、送信側では、疎なコードワードの多重化が行われる。一方、受信側では、例えば、反復演算を用いたメッセージ伝達法（Message  Passing  Algorithm）と呼ばれる手法が用いられる。メッセージ伝達法によれば、例えば、受信装置は、４つの無線リソースの受信信号を参照し、当該受信信号の事後確率を最大にする入力ベクトルを推定する。
【００２９】
より一般的に、例えば、Ｊ個のレイヤのコードワードが、Ｋ個の無線リソースにマッピングされる。この場合に、ｊ番目のレイヤのコードワードをｘｊ＝（ｘ１ｊ，…，ｘＫｊ）と表すと、ｋ番目の無線リソースにおける受信信号ｙｋは、以下のように表される。
【００３０】
【数１】
0006586962.tif 000002
【００３１】
ここで、ｈｋは、ｋ番目の無線リソースにおけるチャネル特性であり、ｎｋは、ｋ番目の無線リソースにおいて加算されるノイズ成分である。この場合に、以下のＸ＾が、入力ベクトルＸ＝（ｘ１，ｘ２，…，ｘＪ）の推定値である。
【００３２】
【数２】
0006586962.tif 000003
【００３３】
これを実現するために、受信側では、ＳＩＣ（Successive  Interference  Cancellation）が用いられる。ＳＩＣでは、受信装置は、あるレイヤの受信信号を復調する過程において、その他のレイヤの受信信号を干渉成分として順次キャンセルする。このような処理により、レイヤの受信信号が分離され、所望のレイヤの受信信号が得られる。
【００３４】
＜１．２．技術的課題＞
次に、本開示の実施形態に係る技術的課題を説明する。
【００３５】
（１）第１の課題
ＳＣＭＡでは、多重化の対象となる複数のレイヤの各々について、レイヤのためのコードブックに基づいて、当該レイヤのデータから当該レイヤのコードワードが生成され、当該コードワードが送信される。
【００３６】
しかし、端末装置に割り当てられるレイヤは、必ずしも固定的に決められているわけではないので、端末装置は、当該端末装置に割り当てられたレイヤを知らなければ、当該レイヤについての通信処理を行うことが困難である。
【００３７】
一例として、端末装置が接続モードであり、且つ、当該端末装置がＤＲＸ動作を行う場合には、基地局は、上記端末装置にデータを間欠的に送信する。別の例として、音声通信などのセミパーシステントな通信（即ち、予め定められたパターンでのみ間欠的にデータの受信が行われる通信）が行われる場合には、特定の期間においてのみトラフィックが発生し、連続的なデータの送信は行われない。これらの例では、端末装置に割り当てられるレイヤが時間によって変化し得る。
【００３８】
そこで、コードブックを用いた非直交多重化が用いられる場合に端末装置が当該端末装置に割り当てられたレイヤを知ることを可能にする仕組みが提供されることが望ましい。
【００３９】
（２）第２の課題
ＳＣＭＡでは、多重化の対象となる複数のレイヤの各々について、レイヤのためのコードブックに基づいて、当該レイヤのデータから当該レイヤのコードワードが生成され、当該コードワードが送信される。
【００４０】
しかし、セルにおける送信データの量及び／又は端末装置の数は、一定ではなく変動し得るので、多重化の対象となるレイヤの数も変化し得る。そのため、上記レイヤの数が少ないにもかかわらず、許容可能な最大数のレイヤを前提とするコードブックが用いられると、無線リソースの利用効率が低下し得る。
【００４１】
一例として、端末装置が接続モードであり、且つ、当該端末装置がＤＲＸ動作を行う場合には、基地局は、上記端末装置にデータを間欠的に送信する。別の例として、音声通信などのセミパーシステントな通信（即ち、予め定められたパターンでのみ間欠的にデータの受信が行われる通信）が行われる場合には、特定の期間においてのみトラフィックが発生し、連続的なデータの送信は行われない。これらの例では、多重化の対象となるレイヤの数が時間によって変化し得る。
【００４２】
そこで、コードブックを用いた非直交多重化が用いられる場合に無線リソースをより効率的に利用することを可能にする仕組みが提供されることが望ましい。
【００４３】
＜＜２．システムの概略的な構成＞＞
続いて、図５を参照して、本開示の実施形態に係るシステム１の概略的な構成を説明する。図５は、本開示の実施形態に係るシステム１の概略的な構成の一例を示す説明図である。図５を参照すると、システム１は、基地局１００及び端末装置２００（例えば、端末装置２００Ａ〜２００Ｆなど）を含む。
【００４４】
（１）基地局１００
基地局１００は、移動体通信システム（又はセルラーシステム）の基地局である。基地局１００は、セル１０１内に位置する端末装置（例えば、端末装置２００）との無線通信を行う。例えば、基地局１００は、端末装置へのダウンリンク信号を送信し、端末装置からのアップリンク信号を受信する。
【００４５】
（２）端末装置２００
端末装置２００は、上記移動体通信システム（又はセルラーシステム）において通信可能な端末装置である。端末装置２００は、基地局（例えば、基地局１００）との無線通信を行う。例えば、端末装置２００は、基地局からのダウンリンク信号を受信し、基地局へのアップリンク信号を送信する。
【００４６】
（３）コードブックを用いた非直交多重化
とりわけ本開示の実施形態では、コードブックを用いた非直交多重化／非直交多元接続が行われる。
【００４７】
例えば、上記コードブックは、ＳＣ（Sparse  Code）のコードブックである。上記コードブックを用いた上記非直交多元接続は、ＳＣＭＡであり、上記コードブックを用いた上記非直交多重化は、ＳＣＭＡの多重化である。
【００４８】
例えば、ダウンリンクについて、コードブックを用いた非直交多重化／非直交多元接続が行われる。あるいは、アップリンクについて、コードブックを用いた非直交多重化／非直交多元接続が行われてもよい。
【００４９】
＜＜３．各装置の構成＞＞
続いて、図６及び図７を参照して、本開示の実施形態に係る基地局１００及び端末装置２００の構成の例を説明する。
【００５０】
＜３．１．基地局の構成＞
まず、図６を参照して、本開示の実施形態に係る基地局１００の構成の一例を説明する。図６は、本開示の実施形態に係る基地局１００の構成の一例を示すブロック図である。図６を参照すると、基地局１００は、アンテナ部１１０、無線通信部１２０、ネットワーク通信部１３０、記憶部１４０及び処理部１５０を備える。
【００５１】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００５２】
（２）無線通信部１２０
無線通信部１２０は、信号を送受信する。例えば、無線通信部１２０は、端末装置へのダウンリンク信号を送信し、端末装置からのアップリンク信号を受信する。
【００５３】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００５４】
（４）記憶部１４０
記憶部１４０は、基地局１００の動作のためのプログラム及び様々なデータを一時的に又は恒久的に記憶する。
【００５５】
（５）処理部１５０
処理部１５０は、基地局１００の様々な機能を提供する。処理部１５０は、割当部１５１、選択部１５３、情報取得部１５５、通知部１５７及び通信処理部１５９を含む。なお、処理部１５０は、これらの構成要素以外の他の構成要素をさらに含み得る。即ち、処理部１５０は、これらの構成要素の動作以外の動作も行い得る。
【００５６】
割当部１５１、選択部１５３、情報取得部１５５、通知部１５７及び通信処理部１５９は、後に詳細に説明する。
【００５７】
＜３．２．端末装置の構成＞
次に、図７を参照して、本開示の実施形態に係る端末装置２００の構成の一例を説明する。図７は、本開示の実施形態に係る端末装置２００の構成の一例を示すブロック図である。図７を参照すると、端末装置２００は、アンテナ部２１０、無線通信部２２０、記憶部２３０及び処理部２４０を備える。
【００５８】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００５９】
（２）無線通信部２２０
無線通信部２２０は、信号を送受信する。例えば、無線通信部２２０は、基地局からのダウンリンク信号を受信し、基地局へのアップリンク信号を送信する。
【００６０】
（３）記憶部２３０
記憶部２３０は、端末装置２００の動作のためのプログラム及び様々なデータを一時的に又は恒久的に記憶する。
【００６１】
（４）処理部２４０
処理部２４０は、端末装置２００の様々な機能を提供する。処理部２４０は、情報取得部２４１及び通信処理部２４３を含む。なお、処理部２４０は、これらの構成要素以外の他の構成要素をさらに含み得る。即ち、処理部２４０は、これらの構成要素の動作以外の動作も行い得る。
【００６２】
情報取得部２４１及び通信処理部２４３は、後に詳細に説明する。
【００６３】
＜＜４．技術的特徴＞＞
続いて、図８〜図１４を参照して、本開示の実施形態に係る技術的特徴を説明する。
【００６４】
（１）割当て
（ａ）リソースの割当て
例えば、基地局１００（割当部１５１）は、端末装置２００に無線リソースを割り当てる。
【００６５】
例えば、上記無線リソースは、コードワードの送信に使用される無線リソースである。より具体的には、例えば、上記無線リソースは、コードワードの長さに対応するブロックである。以下、この点について図８を参照して当該ブロックの例を説明する。
【００６６】
図８は、コードワードの送信に使用される無線リソースであるブロックの例を説明するための説明図である。図８を参照すると、キャリア周波数帯域（carrier  frequency  band）が示されている。当該キャリア周波数帯域は、複数のブロック１０（例えば、ブロック１０Ａ〜１０Ｉなど）を含む。例えば、コードワードの長さ（即ち、コードワードに含まれる信号要素の数）は、４であり、ブロック１０は、周波数方向において４つのサブキャリアを含む。一例として、サブキャリアは、１２ｋＨｚの間隔で配置される。ブロック１０は、時間方向においても所定期間を含む。例えば、当該所定期間は、シンボル、スロット、サブフレーム又は無線フレーム（Radio  Frame）である。ブロック１０は、無線リソースの割当ての単位であるリソースブロックであってもよく、又は、当該リソースブロックの一部であるサブリソースブロックであってもよい。基地局１００（割当部１５１）は、端末装置２００に１つ以上のブロック１０を割り当てる。また、基地局１００（割当部１５１）は、２つ以上の端末装置２００に同一のブロック１０を割り当てる。例えば、基地局１００（割当部１５１）は、端末装置２００Ａ〜２００Ｆに同一のブロック１０を割り当てる。
【００６７】
コードワードの送信に使用されるブロックが周波数方向において連続している例を説明したが、当該ブロックは係る例に限られない。例えば、上記ブロックは、周波数方向において不連続であってもよい。即ち、上記ブロックは、周波数方向において離散的な２つ以上のサブキャリアを含んでもよい。
【００６８】
また、コードワードの長さ（及びブロックに含まれるサブキャリアの数）が４である例を説明したが、当該長さ（及び当該数）は係る例に限られない。例えば、コードワードの長さ（及びブロックに含まれるサブキャリアの数）は、他の長さ（及び他の数）であってもよい。例えば、当該長さ（及び当該数）は、６であってもよく、１２であってもよい。
【００６９】
（ｂ）レイヤの割当て
例えば、基地局１００（割当部１５１）は、コードブックを用いた非直交多重化の対象となる複数のレイヤの各々を端末装置２００に割り当てる。
【００７０】
（ｂ−１）コードブックを用いた非直交多重化
上述したように、例えば、上記コードブックは、ＳＣ（Sparse  Code）のコードブックであり、上記コードブックを用いた上記非直交多重化は、ＳＣＭＡの多重化である。
【００７１】
（ｂ−２）複数のレイヤ
例えば、上記複数のレイヤは、ＳＣＭＡのレイヤである。
【００７２】
例えば、上記複数のレイヤのレイヤ数は、許容可能な最大数以下である。一例として、当該許容可能な最大数は、６である。即ち、基地局１００（割当部１５１）は、６つ以下のレイヤの各々を端末装置２００に割り当てる。
【００７３】
例えば、基地局１００（割当部１５１）は、６つのレイヤ（レイヤ１〜レイヤ６）の各々を端末装置２００に割り当てる。例えば、基地局１００（割当部１５１）は、５つのレイヤ（レイヤ１〜レイヤ６のうちの５つ）の各々を端末装置２００に割り当てる。
【００７４】
なお、コードワードの長さ（及びコードワードの送信に使用されるサブキャリアの数）が大きいほど、上記許容可能な最大数も大きくなるが、コードブックの設計がより困難になり、受信処理の負荷が増大する。
【００７５】
（ｂ−３）レイヤの割当ての例
例えば、基地局１００（割当部１５１）は、上記複数のレイヤの各々を異なる端末装置２００に割り当てる。一例として、基地局１００（割当部１５１）は、レイヤ１を端末装置２００Ａに割り当て、レイヤ２を端末装置２００Ｂに割り当て、レイヤ３を端末装置２００Ｃに割り当て、レイヤ４を端末装置２００Ｄに割り当て、レイヤ５を端末装置２００Ｅに割り当て、レイヤ６を端末装置２００Ｆに割り当てる。これにより、例えば、より多くの端末装置２００が同時に通信することが可能になる。
【００７６】
なお、基地局１００（割当部１５１）は、２つ以上のレイヤを同一の端末装置２００に割り当ててもよい。一例として、基地局１００（割当部１５１）は、レイヤ１及びレイヤ２を端末装置２００Ａに割り当ててもよい。これにより、例えば、端末装置２００Ａの通信速度を向上させることが可能になる。
【００７７】
（ｂ−４）トラフィックの変化に応じたレイヤ数の変更
例えば、基地局１００（割当部１５１）は、トラフィックの変化に応じて、上記非直交多重化の対象となる上記複数のレイヤのレイヤ数を変更する。例えば、当該トラフィックは、セル１０１内のトラフィック（即ち、基地局１００が処理するトラフィック）である。
【００７８】
より具体的には、例えば、基地局１００（割当部１５１）は、セル１０１内のトラフィックが少なくなると、レイヤ数をより大きい数からより小さい数に変更する。例えば、基地局１００（割当部１５１）は、セル１０１内のトラフィックが多くなると、レイヤ数をより小さい数からより大きい数に変更する。
【００７９】
（２）レイヤの通知
基地局１００（情報取得部１５５）は、上記複数のレイヤ（即ち、コードブックを用いた非直交多重化の対象となる複数のレイヤ）のうちの、端末装置２００に割り当てられるレイヤを示す情報を取得する。そして、基地局１００（通知部１５７）は、上記レイヤを端末装置２００に通知する。
【００８０】
これにより、例えば、コードブックを用いた非直交多重化が用いられる場合に端末装置２００が端末装置２００に割り当てられたレイヤを知ることが可能になる。
【００８１】
（ａ）ＤＣＩの中での通知
例えば、基地局１００（通知部１５７）は、ダウンリンク制御情報（Downlink  Control  Information：ＤＣＩ）の中で、上記レイヤを端末装置２００に通知する。例えば、当該ＤＣＩは、物理ダウンリンク制御チャネル（Physical  Downlink  Control  Channel：ＰＤＣＣＨ）上で送信される情報である。
【００８２】
例えば、基地局１００（通知部１５７）は、端末装置２００Ａに割り当てられるレイヤ１を、端末装置２００ＡへのＤＣＩの中で端末装置２００Ａに通知する。例えば、基地局１００（通知部１５７）は、端末装置２００Ｄに割り当てられるレイヤ４を、端末装置２００ＤへのＤＣＩの中で端末装置２００Ｄに通知する。
【００８３】
これにより、例えば、レイヤの動的な割当て（例えば、サブフレームごとのレイヤの割当て）が可能になる。そのため、例えば、端末装置２００は、コードブックを用いた非直交多重化が用いられる場合にも、ＤＲＸ動作及び／又はセミパーシステントな通信などを柔軟に行い得る。
【００８４】
（ｂ）具体的な動作
例えば、基地局１００（通知部１５７）は、上記レイヤを示す情報を含むＤＣＩを生成する。上記レイヤを示す当該情報は、上記レイヤのレイヤ番号であってもよい。
【００８５】
例えば、基地局１００（通信処理部１５９）は、端末装置２００のＩＤ（例えば、ＲＮＴＩ（Radio  Network  Temporary  ID））に基づいて、ＣＲＣを生成し、当該ＣＲＣを上記ＤＣＩに付加する。そして、基地局１００（通信処理部１５９）は、上記ＣＲＣが付加された上記ＤＣＩについて、符号化、レートマッチング及び多重化などを行う。
【００８６】
一方、例えば、端末装置２００は、端末装置２００のＩＤ（例えば、ＲＮＴＩ）に基づいて、各サブフレームのＰＤＣＣＨをモニタリングし、端末装置２００へのＤＣＩを見つける。そして、端末装置２００（情報取得部２４１）は、上記ＤＣＩを取得し、上記ＤＣＩに含まれる、上記レイヤを示す上記情報を取得する。
【００８７】
（ｃ）他の情報の通知
例えば、基地局１００（通知部１５７）は、上記ＤＣＩの中で、上記レイヤのコードワードの送信に使用される無線リソースを端末装置２００に通知する。これにより、例えば、端末装置２００は、どの無線リソースについてのレイヤが端末装置２００に割り当てられたかを知ることが可能になる。
【００８８】
さらに、例えば、基地局１００（通知部１５７）は、上記ＤＣＩの中で、トランスミッションモードに応じた他の情報を端末装置２００に通知してもよい。当該他の情報は、ＭＣＳ（Modulation  and  Coding  Scheme）、ＮＤＩ（New  Data  Indicator）、物理アップリンク制御チャネル（Physical  Uplink  Control  Channel：ＰＵＣＣＨ）の電力制御コマンド、及び／又はプリコーディング情報などを含んでもよい。
【００８９】
（３）通信処理
例えば、基地局１００（通信処理部１５９）は、上記複数のレイヤ（即ち、コードブックを用いた非直交多重化の対象となる複数のレイヤ）についての通信処理を行う。
【００９０】
例えば、端末装置２００（情報取得部２４１）は、上記複数のレイヤのうちの、端末装置２００に割り当てられるレイヤを示す情報を取得する。そして、端末装置２００（通信処理部２４３）は、上記レイヤを示す上記情報に基づいて、上記レイヤについての通信処理を行う。
【００９１】
（ａ）ダウンリンクのケース
例えば、上記非直交多重化は、ダウンリンクについて行われる。この場合に、基地局１００（通信処理部１５９）は、上記複数のレイヤについての送信処理を行う。一方、端末装置２００（通信処理部２４３）は、上記複数のレイヤのうちの、端末装置２００に割り当てられる上記レイヤについての受信処理を行う。
【００９２】
（ａ−１）基地局１００の送信処理
−コードワードの生成
例えば、上記送信処理は、上記複数のレイヤの各々について、レイヤのデータから当該レイヤのコードワードを生成することを含む。例えば、基地局１００（通信処理部１５９）は、上記複数のレイヤの各々について、レイヤのためのコードブックに基づいて、当該レイヤのデータから当該レイヤのコードワードを生成する。
【００９３】
例えば、基地局１００（通信処理部１５９）は、レイヤ１のためのコードブック（例えば、図３に示されるコードブック１）に基づいて、レイヤ１のデータからレイヤ１のコードワードを生成する。例えば、基地局１００（通信処理部１５９）は、レイヤ４のためのコードブック（例えば、図３に示されるコードブック４）に基づいて、レイヤ４のデータからレイヤ４のコードワードを生成する。
【００９４】
−無線リソースへのコードワードのマッピング
例えば、上記送信処理は、上記複数のレイヤの各々について、上記コードワードの送信に使用される無線リソースに上記コードワードをマッピングすることを含む。
【００９５】
例えば、基地局１００（通信処理部１５９）は、上記複数のレイヤの各々について、上記コードワードを同一のブロックにマッピングする。より具体的には、例えば、基地局１００（通信処理部１５９）は、各レイヤのコードワード内の各信号要素を、ブロック内の対応する無線リソース（例えば、リソースエレメント）にマッピングする。以下、この点について、図９を参照して具体例を説明する。
【００９６】
図９は、複数のレイヤのコードワードの無線リソースへのマッピングの第１の例を説明するための説明図である。図９を参照すると、ブロック１０が示されている。この例では、レイヤ１〜６が、コードブックを用いた非多重化の対象である。基地局１００（通信処理部１５９）は、図３に示されるコードブック１〜６に基づいて、レイヤ１〜６のコードワードを生成する。そして、基地局１００（通信処理部１５９）は、レイヤ１〜６のコードワードをブロック１０にマッピングする。より具体的には、基地局１００（通信処理部１５９）は、レイヤ１、レイヤ３及びレイヤ５のコードワードの１番目の信号要素（０ではない信号要素）を、ブロック１０内の、サブキャリア１１のリソースエレメントにマッピングする。また、基地局１００（通信処理部１５９）は、レイヤ１、レイヤ４及びレイヤ６のコードワードの２番目の信号要素（０ではない信号要素）を、ブロック１０内の、サブキャリア１３のリソースエレメントにマッピングする。また、基地局１００（通信処理部１５９）は、レイヤ２、レイヤ３及びレイヤ６のコードワードの３番目の信号要素（０ではない信号要素）を、ブロック１０内の、サブキャリア１５のリソースエレメントにマッピングする。また、基地局１００（通信処理部１５９）は、レイヤ２、レイヤ４及びレイヤ５のコードワードの４番目の信号要素（０ではない信号要素）を、ブロック１０内の、サブキャリア１７のリソースエレメントにマッピングする。なお、コードワードの信号要素は、リファレンス信号がマッピングされるリソースエレメントにはマッピングされず、リファレンス信号がマッピングされないリソースエレメントにマッピングされる。
【００９７】
図１０は、複数のレイヤのコードワードの無線リソースへのマッピングの第２の例を説明するための説明図である。図１０を参照すると、ブロック１０が示されている。この例では、レイヤ１、３〜６が、コードブックを用いた非多重化の対象である。基地局１００（通信処理部１５９）は、レイヤ１、３〜６のコードワードを生成する。そして、基地局１００（通信処理部１５９）は、図９の例と同様に、レイヤ１、３〜６のコードワードをブロック１０にマッピングする。なお、この例では、図９の例とは異なり、レイヤ２のコードワードは、存在せず、ブロック１０にマッピングされない。
【００９８】
以上のように、基地局１００（通信処理部１５９）は、複数のレイヤのコードワードを同一のブロックにマッピングすることにより、多重化を行う。なお、異なるレイヤのコードワードの信号要素が同一のリソースエレメントにマッピングされるが、当該信号要素は、加算された後に、上記同一のリソースエレメントにマッピングされてもよく、上記同一のリソースエレメントへのマッピングされた後に、加算されてもよい。
【００９９】
−送信処理全体の例
−−第１の例
図１１は、基地局１００の送信処理全体の第１の例を説明するための説明図である。例えば、基地局１００の送信処理は、符号化、レイヤマッピング、コードワードに基づくコードワードの生成、リソースマッピング及びＩＦＦＴ（Inverse  Fast  Fourier  Transform）などを含む。
【０１００】
−−第２の例
図１２は、基地局１００の送信処理全体の第２の例を説明するための説明図である。当該第２の例では、ＭＩＭＯ（Multiple-Input  and  Multiple-Output）のケースの例である。図１２に示されるように、この例では、基地局１００の送信処理は、コードブックを用いた非直交多重化のための第１のレイヤマッピングに加えて、空間多重化のための第２のレイヤマッピングを含む。さらに、上記送信処理は、空間多重化のためのプリコーディングも含む。例えば、コードワードは、上記第２のレイヤマッピングにおいて、送信レイヤにマッピングされ、上記プリコーディングにおいて、アンテナごとに重み付けされ、そして送信される。なお、例えば、送信レイヤの数は、端末装置２００が基地局１００に通知するＲＩ（Rank  Indicator）を参照して決定される。また、例えば、上記プリコーディングにおける重みのセットは、各レイヤのスループットの合計が最大になるように、予め定められたセット群の中から選択される。例えば、上記プリコーディングにおける重みのセットは、端末装置２００が基地局１００に通知するＰＭＩ（Precoding  Matrix  Indicator）を参照して決定される。
【０１０１】
（ａ−２）端末装置２００の受信処理
例えば、上記受信処理は、ＳＩＣにより、端末装置２００に割り当てられるレイヤのデータを復号することを含む。例えば、端末装置２００Ａ（通信処理部２４３）は、上記レイヤのためのコードブック（及び他のレイヤのコードブック）に基づいて、上記レイヤの上記データを復号する。
【０１０２】
例えば、端末装置２００Ａにレイヤ１が割り当てられる。この場合に、端末装置２００Ａ（通信処理部２４３）は、端末装置２００に割り当てられた無線リソースにおける受信信号から、ＳＩＣにより、受信電力が大きい順に他のレイヤの信号（干渉）を除去し、レイヤ１のデータを復号する。なお、端末装置２００は、上記他のレイヤの信号の除去のために、レイヤ１のためのコードブックのみではなく、上記他のレイヤのためのコードブックにも基づいて、ＳＩＣによりレイヤ１のデータを復号する。
【０１０３】
（ｂ）アップリンクのケース
上記非直交多重化は、アップリンクについて行われてもよい。この場合に、端末装置２００（通信処理部２４３）は、上記複数のレイヤのうちの、端末装置２００に割り当てられる上記レイヤについての送信処理を行ってもよい。一方、基地局１００（通信処理部１５９）は、上記複数のレイヤについての受信処理を行ってもよい。
【０１０４】
（ｂ−１）端末装置２００の送信処理
−コードワードの生成
上記送信処理は、端末装置２００に割り当てられるレイヤのデータから当該レイヤのコードワードを生成することを含んでもよい。端末装置２００（通信処理部２４３）は、上記レイヤのためのコードブックに基づいて、上記レイヤのデータから上記レイヤのコードワードを生成してもよい。
【０１０５】
例えば、レイヤ１が端末装置２００Ａに割り当てられてもよく、端末装置２００Ａ（通信処理部２４３）は、図３に示されるコードブック１（レイヤ１のためのコードブック）に基づいて、レイヤ１のデータからレイヤ１のコードワードを生成してもよい。
【０１０６】
−無線リソースへのコードワードのマッピング
例えば、上記送信処理は、端末装置２００に割り当てられる上記レイヤの上記コードワードの送信に使用される無線リソース（即ち、端末装置２００に割り当てられる無線リソース）に、上記レイヤの上記コードワードをマッピングすることを含んでもよい。
【０１０７】
（ｂ−２）基地局１００の受信処理
上記受信処理は、ＳＩＣにより、上記複数のレイヤの各々のデータを順次復号することを含んでもよい。基地局１００（通信処理部１５９）は、上記複数のレイヤのコードブックに基づいて、上記複数のレイヤの各々のデータを順次復号してもよい。
【０１０８】
例えば、端末装置２００Ａ〜２００Ｆにレイヤ１〜６が割り当てられてもよく、基地局１００（通信処理部１５９）は、ＳＩＣにより、レイヤ１〜６の各々のデータを順次復号してもよい。
【０１０９】
（４）コードブックグループの選択と使用
例えば、基地局１００（選択部１５３）は、複数のコードブックグループのうちの、上記複数のレイヤ（即ち、コードブックを用いた非直交多重化の対象となる複数のレイヤ）に対応するコードブックグループを選択する。そして、基地局１００（通信処理部１５９）は、上記コードブックグループに基づいて、上記複数のレイヤについての通信処理を行う。
【０１１０】
これにより、例えば、コードブックを用いた非直交多重化が用いられる場合に無線リソースをより効率的に利用することが可能になる。
【０１１１】
（ａ）コードブックグループ
（ａ−１）第１のコードブックグループ／第２のコードブックグループ
例えば、上記複数のコードブックグループは、少なくとも、第１の数のレイヤに対応する第１のコードブックグループと、上記第１の数よりも小さい第２の数のレイヤに対応する第２のコードブックグループとを含む。
【０１１２】
−具体的な例
例えば、上記第１の数のレイヤは、許容可能な最大数のレイヤであり、上記第２の数のレイヤは、許容可能な最大数よりも小さい数のレイヤである。
【０１１３】
一例として、上記第１の数（上記許容可能な最大数）は６であり、上記第２の数は５である。即ち、上記第１のコードブックグループは、６つのレイヤに対応するコードブックグループであり、上記第２のコードブックグループは、５つのレイヤに対応するコードブックグループである。この場合に、例えば、上記第１のコードブックグループは、６つのコードブックを含み、上記第２のコードブックグループは、５つのコードブックを含む。
【０１１４】
例えば、上記第１のコードブックグループは、図３に示されるコードブック１〜６を含むグループである。例えば、上記第２のコードブックは、図３に示されるコードブック１〜５とは異なる５つのコードブック（例えば、５つのレイヤに適したコードブックグループ）を含む。あるいは、上記第２のコードブックグループは、上記第１のコードブックグループに含まれるコードブック（例えば、レイヤ１のためのコードブック１）を含んでもよい。
【０１１５】
−第１のコードブックグループ／第２のコードブックグループの選択
−−第１のコードブックグループの選択
例えば、基地局１００（選択部１５３）は、上記複数のレイヤ（即ち、コードブックを用いた非直交多重化の対象となる複数のレイヤ）のレイヤ数が上記第１の数（例えば６）である場合に、上記複数のコードブックグループのうちの、上記第１のコードブックグループを選択する。
【０１１６】
図９を再び参照すると、例えば、レイヤ１〜６が、コードブックを用いた非多重化の対象である。この場合に、基地局１００（選択部１５３）は、レイヤ１〜６の各々のためのコードブックを含む第１のコードブックグループを選択する。
【０１１７】
−−第２のコードブックグループの選択
例えば、基地局１００（選択部１５３）は、上記複数のレイヤのレイヤ数が上記第２の数（例えば５）である場合に、上記複数のコードブックグループのうちの、上記第２のコードブックグループを選択する。
【０１１８】
図１０を再び参照すると、例えば、レイヤ１、３〜６が、コードブックを用いた非多重化の対象である。この場合に、基地局１００（選択部１５３）は、レイヤ１、３〜６の各々のためのコードブックを含む第２のコードブックグループを選択する。
【０１１９】
−変調度（modulation  order）
−−第１のコードブックグループ及び第２のコードブックグループ
例えば、上記第２のコードブックグループに含まれる少なくとも１つのコードブックは、上記第１のコードブックグループに含まれるいずれのコードブックとも、異なる変調度の信号要素を含むコードワードを含む。より具体的には、例えば、上記第２のコードブックグループに含まれる上記少なくとも１つのコードブックは、上記第１のコードブックグループに含まれるいずれのコードブックよりも、より高い変調度の信号要素を含むコードワードを含む。例えば、より高い変調度の当該信号要素は、より少数のレイヤの信号要素がマッピングされる無線リソースにマッピングされる信号要素である。
【０１２０】
上述したように、例えば、上記第１のコードブックグループは、レイヤ１〜６の各々のためのコードブックを含むコードブックグループであり、レイヤ１〜６のコードワードは、図９に示されるように無線リソースにマッピングされる。一方、上記第２のコードブックグループは、レイヤ１、３〜６の各々のためのコードブックを含むコードブックグループであり、レイヤ１、３〜６のコードワードは、図１０に示されるように無線リソースにマッピングされる。この場合に、例えば、上記第２のコードブックグループに含まれるレイヤ３〜６のためのコードブックは、上記第１のコードブックグループに含まれるレイヤ１〜６のためのコードブックのいずれよりも、より高い変調度の信号要素を含むコードワードを含む。
【０１２１】
図１０を再び参照すると、サブキャリア１５のリソースエレメントには、レイヤ３及びレイヤ６の信号要素のみがマッピングされ、サブキャリア１７のリソースエレメントには、レイヤ４及びレイヤ５の信号要素のみがマッピングされる。そのため、サブキャリア１５のリソースエレメント及びサブキャリア１７のリソースエレメントにマッピングされる信号要素は、干渉の減少に伴い、より高い変調度の信号であってもよい。よって、例えば、上記第２のコードブックグループに含まれるレイヤ３〜６のためのコードブックは、より高い変調度の信号要素を含むコードワードを含む。以下、図１３及び図１４を参照して、さらに具体的な例を説明する。
【０１２２】
図１３は、第１のコードブックグループに基づいて生成されるコードワードの例を説明するための説明図である。図１３を参照すると、第１のコードブックグループに基づいて生成されるレイヤ１〜６のコードワードと、無線リソース１〜４とが示されている。無線リソース１〜４の各々は、例えば、リソースエレメントである。この例では、レイヤ１〜６の各々のコードワードは、０ではない２つの信号要素を含み、当該２つの信号要素の各々は、無線リソース１〜４のうちの対応するものにマッピングされる。とりわけ、この例では、無線リソース１〜４の各々に、３つの信号要素がマッピングされるので、例えば、レイヤ１〜６のコードワードに含まれる、０ではない全ての信号要素は、第１の変調度の信号要素である。
【０１２３】
図１４は、第２のコードブックグループに基づいて生成されるコードワードの例を説明するための説明図である。図１４を参照すると、第２のコードブックグループに基づいて生成されるレイヤ１、３〜６のコードワードと、無線リソース１〜４とが示されている。無線リソース１〜４の各々は、例えば、リソースエレメントである。この例では、レイヤ１、３〜６の各々のコードワードは、０ではない２つの信号要素を含み、当該２つの信号要素の各々は、無線リソース１〜４のうちの対応するものにマッピングされる。とりわけ、この例では、無線リソース１、２の各々には、３つの信号要素がマッピングされるが、無線リソース３、４の各々には、２つの信号要素のみがマッピングされる。そのため、レイヤ３のコードワードに含まれる１番目の信号要素は、上記第１の変調度の信号要素であるが、レイヤ３のコードワードに含まれる３番目の信号要素は、上記第１の変調度よりも高い第２の変調度の信号要素である。また、レイヤ４コードワードに含まれる２番目の信号要素は、上記第１の変調度の信号要素であるが、レイヤ４のコードワードに含まれる４番目の信号要素は、上記第２の変調度の信号要素である。また、レイヤ５コードワードに含まれる１番目の信号要素は、上記第１の変調度の信号要素であるが、レイヤ５のコードワードに含まれる４番目の信号要素は、上記第２の変調度の信号要素である。また、レイヤ６コードワードに含まれる２番目の信号要素は、上記第１の変調度の信号要素であるが、レイヤ６のコードワードに含まれる３番目の信号要素は、上記第２の変調度の信号要素である。なお、レイヤ１のコードワードに含まれる１番目の信号要素及び２番目の信号要素は、上記第１の変調度の信号要素である。
【０１２４】
−−第２のコードブックグループ
例えば、上記第２のコードブックグループは、少なくとも、第１の変調度の信号要素、及び上記第１の変調度とは異なる第２の変調度の信号要素とを含む。
【０１２５】
上述したように、例えば、上記第２のコードブックグループに含まれる、レイヤ３〜６の各々のためのコードブックは、上記第１の変調度の信号要素と、上記第２の変調度の信号要素とを含む。
【０１２６】
−−変調度の例
なお、上記第１の変調度及び上記第２の変調度の各々は、ＢＰＳＫ（Binary  Phase  shift  Keying）、ＱＰＳＫ（Quadrature  Phase  shift  Keying）、８ＰＳＫ（Phase  shift  Keying）、１６ＱＡＭ（Quadrature  Amplitude  Modulation）、６４ＱＡＭのいずれかの変調度と同等の変調度であってもよく、他の任意の変調度であってもよい。
【０１２７】
−コードブックに含まれるコードワードの数
−−第１のコードブックグループ及び第２のコードブックグループ
例えば、上記第２のコードブックグループに含まれる少なくとも１つのコードブックは、上記第１のコードブックグループに含まれるいずれのコードブックよりも、より多数のコードワードを含む。換言すると、上記少なくとも１つのコードブックは、上記第１のコードブックグループに含まれるいずれのコードブックよりも、より大きいサイズのデータを対象とする。
【０１２８】
例えば、上記第１のコードブックグループの含まれる、レイヤ１〜６の各々のコードブックは、第１の数のコードワードを含む。一方、上記第２のコードブックグループに含まれる、レイヤ３〜６の各々のためのコードブックは、上記第１の数よりも大きい第２の数のコードワードを含む。
【０１２９】
−−第２のコードブックグループ
例えば、上記第２のコードブックグループに含まれる第１のコードブックは、上記第２のコードブックグループに含まれる第２のコードブックよりも、より多くのコードワードを含む。換言すると、上記第１のコードブックは、上記第２のコードブックよりも、より大きいサイズのデータを対象とする。
【０１３０】
上述したように、例えば、上記第２のコードブックグループに含まれる、レイヤ３〜６の各々のためのコードブックは、上記第２の数のコードワードを含む。一方、上記第２のコードブックグループに含まれる、レイヤ１のためのコードブックは、上記第１の数のコードワードを含む。
【０１３１】
−レート制御（rate  control）
例えば、基地局１００（通信処理部１５９）は、各レイヤのデータレートを制御する。より具体的には、例えば、基地局１００（通信処理部１５９）は、各レイヤで送信するデータのサイズを制御する。なお、基地局１００は、データレートの制御のために、レート制御バッファを備えてもよい。
【０１３２】
（ａ−２）他のコードブックグループ
例えば、上記複数のコードブックグループは、上記第１のコードブック（例えば、第１の数のレイヤに対応するコードブック）及び上記第２のコードブック（例えば、第２の数のレイヤに対応するコードブック）以外のコードブックをさらに含む。
【０１３３】
一例として、上記複数のコードブックグループは、第３の数に対応するコードブックをさらに含んでもよい。当該第３の数は、上記第２の数よりも小さくてもよい。
【０１３４】
別の例として、上記複数のコードブックグループは、上記第２の数のレイヤに対応する他のコードブックを含んでもよい。例えば、上記第２のコードブックは、レイヤ１、３〜６の各々のためのコードブックを含み、上記他のコードブックは、レイヤ２〜６のためのコードブックを含んでもよい。このように、上記複数のコードブックグループは、同一の数のレイヤに対応する２つ以上のコードブックを含んでもよい。
【０１３５】
あるいは、上記複数のコードブックグループは、同一の数のレイヤに対応する２つ以上のコードブックを含まず、レイヤ数ごとに１つのコードブックを含んでもよい。この場合に、レイヤ数に応じて使用されるレイヤが、予め定められてもよい。
【０１３６】
（ｂ）端末装置への通知
−コードブックグループの通知
例えば、基地局１００（通知部１５７）は、上記コードブックグループ（即ち、上記複数のコードブックグループの中から選択されるコードブックグループ）を端末装置２００に通知する。
【０１３７】
より具体的には、例えば、基地局１００（通知部１５７）は、ＤＣＩの中で、上記コードブックグループを端末装置２００に通知する。例えば、基地局１００（通知部１５７）は、上記コードブックグループを示す情報を含むＤＣＩを生成する。上記コードブックグループを示す当該情報は、上記コードブックグループの識別情報（例えば、上記コードブックグループのグループ番号）であってもよい。
【０１３８】
これにより、例えば、端末装置２００は、使用すべきコードブックグループを知ることが可能になる。
【０１３９】
−複数のレイヤの通知
あるいは、基地局１００（通知部１５７）は、上記複数のレイヤ、又は上記複数のレイヤのレイヤ数を、端末装置２００に通知してもよい。
【０１４０】
より具体的には、基地局１００（通知部１５７）は、ＤＣＩの中で、上記複数のレイヤ又は上記レイヤ数を端末装置２００に通知してもよい。例えば、基地局１００（通知部１５７）は、上記複数のレイヤの各々を示す情報（例えば、上記複数のレイヤの各々のレイヤ番号のセット）又は上記レイヤ数を示す情報を含むＤＣＩを生成してもよい。そして、端末装置２００は、上記複数のレイヤ、又は上記レイヤ数に基づいて、端末装置２００が使用するコードブックグループを決定してもよい。
【０１４１】
これにより、例えば、端末装置２００は、使用すべきコードブックグループを知ることが可能になる。
【０１４２】
−複数のコードブックグループの通知
基地局１００（通知部１５７）は、上記複数のコードブックグループを端末装置２００に通知してもよい。
【０１４３】
より具体的には、基地局１００（通知部１５７）は、端末装置２００へのシグナリングにより、又はシステム情報の中で、上記複数のコードブックグループを端末装置２００に通知してもよい。
【０１４４】
（ｃ）端末装置の動作
例えば、端末装置２００（通信処理部２４３）は、上記複数のコードブックグループのうちの、上記複数のレイヤに対応するコードブックグループに基づいて、上記レイヤについての上記通信処理を行う。当該通信処理については、上述したとおりである。
【０１４５】
（ｄ）特定の条件下での実行
基地局１００は、端末装置２００が基地局１００に近接している場合に（即ち、ＳＮ比（Signal-to-Noise  Ratio）が十分に良好であり、干渉の影響が支配的である場合に）、コードブックグループの選択、及び当該コードブックグループに基づく通信処理を行ってもよい。
【０１４６】
以上のように、コードブックグループが選択され、当該コードブックグループに基づいて通信処理が行われる。これにより、例えば、無線リソースをより効率的に利用することが可能になる。より具体的には、例えば、レイヤ数がより小さくなる場合には、より少ない信号要素（即ち、より少ないレイヤのコードワードの信号要素）がマッピングされる無線リソースがあり、当該無線リソースにおいて干渉が小さくなる。そのため、当該無線リソースにおける変調度を高くすることが可能になり、よって、いくつかのレイヤにおいてより大きいサイズのデータを送信することが可能になる。その結果、無線リソースがより効率的に使用され得る。
【０１４７】
＜＜５．処理の流れ＞＞
続いて、図１５及び図１６を参照して、本開示の実施形態に係る処理の例を説明する。
【０１４８】
（１）ダウンリンクのケース
図１５は、本開示の実施形態に係る処理の概略的な流れの第１の例を示すフローチャートである。当該第１の例は、コードブックを用いた非直交多重化がダウンリンクについて行われる例である。
【０１４９】
基地局１００は、ダウンリンクの無線リソースと、コードブックを用いた非直交多重化の対象となる複数のレイヤに含まれるレイヤとを、端末装置２００に割り当てる（Ｓ４０１）。そして、基地局１００は、複数のコードブックグループのうちの、上記複数のレイヤに対応するコードブックグループを選択する（Ｓ４０３）。
【０１５０】
基地局１００は、端末装置２００へのＤＣＩを送信する（Ｓ４０５）。とりわけ、基地局１００は、当該ＤＣＩの中で、端末装置２００に割り当てられた上記無線リソース及び上記レイヤと、上記コードブックグループとを、端末装置２００に通知する。
【０１５１】
端末装置２００は、上記ＤＣＩを取得し、上記ＤＣＩから、上記無線リソースを示す情報、上記レイヤを示す情報、及び上記コードブックグループを示す情報を取得する。
【０１５２】
基地局１００は、上記複数のレイヤの各々においてデータを送信する（Ｓ４０７）。とりわけ、基地局１００は、上記コードブックグループに基づいて、上記複数のレイヤの各々についての送信処理を行う。当該送信処理は、上記複数のレイヤの各々について、レイヤのデータから当該レイヤのコードワードを生成することを含む。
【０１５３】
端末装置２００は、端末装置２００に割り当てられた上記レイヤにおいて送信されたデータを受信する。とりわけ、基地局１００は、上記無線リソースを示す上記情報、上記レイヤを示す上記情報、及び上記コードブックグループに基づいて、上記レイヤについての受信処理を行う。
【０１５４】
（２）アップリンクのケース
図１６は、本開示の実施形態に係る処理の概略的な流れの第２の例を示すフローチャートである。当該第２の例は、コードブックを用いた非直交多重化がアップリンクについて行われる例である。
【０１５５】
端末装置は、スケジューリングリクエストを行い（Ｓ４２１）、基地局１００は、アップリンクの無線リソースと、コードブックを用いた非直交多重化の対象となる複数のレイヤに含まれるレイヤとを、端末装置２００に割り当てる（Ｓ４２３）。そして、基地局１００は、複数のコードブックグループのうちの、上記複数のレイヤに対応するコードブックグループを選択する（Ｓ４２５）。
【０１５６】
基地局１００は、端末装置２００へのＤＣＩを送信する（Ｓ４２７）。とりわけ、基地局１００は、当該ＤＣＩの中で、端末装置２００に割り当てられた上記無線リソース及び上記レイヤと、上記コードブックグループとを、端末装置２００に通知する。
【０１５７】
端末装置２００は、上記ＤＣＩを取得し、上記ＤＣＩから、上記無線リソースを示す情報、上記レイヤを示す情報、及び上記コードブックグループを示す情報を取得する。
【０１５８】
端末装置２００は、端末装置２００に割り当てられた上記レイヤにおいてデータを送信する（Ｓ４２９）。とりわけ、端末装置２００は、上記無線リソースを示す上記情報、上記レイヤを示す上記情報、及び上記コードブックグループ（とりわけ、上記コードブックグループに含まれる、上記レイヤのためのコードブック）に基づいて、上記レイヤについての送信処理を行う。当該送信処理は、上記レイヤのデータから上記レイヤのコードワードを生成することを含む。
【０１５９】
基地局１００は、上記複数のレイヤの各々において送信されたデータを受信する。とりわけ、基地局１００は、上記コードブックグループに基づいて、上記複数のレイヤの各々についての受信処理を行う。
【０１６０】
＜＜６．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１６１】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１６２】
＜６．１．基地局に関する応用例＞
（第１の応用例）
図１７は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１６３】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１７に示したように複数のアンテナ８１０を有し、複数のアンテナ８１０は、例えばｅＮＢ８００が使用する複数の周波数帯域にそれぞれ対応してもよい。なお、図１７にはｅＮＢ８００が複数のアンテナ８１０を有する例を示したが、ｅＮＢ８００は単一のアンテナ８１０を有してもよい。
【０１６４】
基地局装置８２０は、コントローラ８２１、メモリ８２２、ネットワークインタフェース８２３及び無線通信インタフェース８２５を備える。
【０１６５】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１６６】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１６７】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１６８】
無線通信インタフェース８２５は、図１７に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１７に示したように複数のＲＦ回路８２７を含み、複数のＲＦ回路８２７は、例えば複数のアンテナ素子にそれぞれ対応してもよい。なお、図１７には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１６９】
図１７に示したｅＮＢ８００において、図６を参照して説明した処理部１５０に含まれる１つ以上の構成要素（割当部１５１、選択部１５３、情報取得部１５５、通知部１５７及び／又は通信処理部１５９）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１７０】
また、図１７に示したｅＮＢ８００において、図６を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０１７１】
（第２の応用例）
図１８は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１７２】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１８に示したように複数のアンテナ８４０を有し、複数のアンテナ８４０は、例えばｅＮＢ８３０が使用する複数の周波数帯域にそれぞれ対応してもよい。なお、図１８にはｅＮＢ８３０が複数のアンテナ８４０を有する例を示したが、ｅＮＢ８３０は単一のアンテナ８４０を有してもよい。
【０１７３】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１７を参照して説明したコントローラ８２１、メモリ８２２及びネットワークインタフェース８２３と同様のものである。
【０１７４】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１７を参照して説明したＢＢプロセッサ８２６と同様のものである。無線通信インタフェース８５５は、図１８に示したように複数のＢＢプロセッサ８５６を含み、複数のＢＢプロセッサ８５６は、例えばｅＮＢ８３０が使用する複数の周波数帯域にそれぞれ対応してもよい。なお、図１８には無線通信インタフェース８５５が複数のＢＢプロセッサ８５６を含む例を示したが、無線通信インタフェース８５５は単一のＢＢプロセッサ８５６を含んでもよい。
【０１７５】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１７６】
また、ＲＲＨ８６０は、接続インタフェース８６１及び無線通信インタフェース８６３を備える。
【０１７７】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１７８】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１８に示したように複数のＲＦ回路８６４を含み、複数のＲＦ回路８６４は、例えば複数のアンテナ素子にそれぞれ対応してもよい。なお、図１８には無線通信インタフェース８６３が複数のＲＦ回路８６４を含む例を示したが、無線通信インタフェース８６３は単一のＲＦ回路８６４を含んでもよい。
【０１７９】
図１８に示したｅＮＢ８３０において、図６を参照して説明した処理部１５０に含まれる１つ以上の構成要素（割当部１５１、選択部１５３、情報取得部１５５、通知部１５７及び／又は通信処理部１５９）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１８０】
また、図１８に示したｅＮＢ８３０において、例えば、図６を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０１８１】
＜６．２．端末装置に関する応用例＞
（第１の応用例）
図１９は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１８２】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１８３】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１８４】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１９に示したように複数のＢＢプロセッサ９１３及び複数のＲＦ回路９１４を含んでもよい。なお、図１９には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１８５】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１８６】
アンテナスイッチ９１５の各々は、無線通信インタフェース９１２に含まれる複数の回路（例えば、異なる無線通信方式のための回路）の間でアンテナ９１６の接続先を切り替える。
【０１８７】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１９に示したように複数のアンテナ９１６を有してもよい。なお、図１９にはスマートフォン９００が複数のアンテナ９１６を有する例を示したが、スマートフォン９００は単一のアンテナ９１６を有してもよい。
【０１８８】
さらに、スマートフォン９００は、無線通信方式ごとにアンテナ９１６を備えてもよい。その場合に、アンテナスイッチ９１５は、スマートフォン９００の構成から省略されてもよい。
【０１８９】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１９に示したスマートフォン９００の各ブロックへ電力を供給する。補助コントローラ９１９は、例えば、スリープモードにおいて、スマートフォン９００の必要最低限の機能を動作させる。
【０１９０】
図１９に示したスマートフォン９００において、図７を参照して説明した情報取得部２４１及び通信処理部２４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部２４１及び通信処理部２４３が実装されてもよい。この場合に、上記モジュールは、プロセッサを情報取得部２４１及び通信処理部２４３として機能させるためのプログラム（換言すると、プロセッサに情報取得部２４１及び通信処理部２４３の動作を実行させるためのプログラム）を記憶し、当該プログラムを実行してもよい。別の例として、プロセッサを情報取得部２４１及び通信処理部２４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部２４１及び通信処理部２４３を備える装置としてスマートフォン９００又は上記モジュールが提供されてもよく、プロセッサを情報取得部２４１及び通信処理部２４３として機能させるためのプログラムが提供されてもよい。また、上記プログラムを記録した読み取り可能な記録媒体が提供されてもよい。
【０１９１】
また、図１９に示したスマートフォン９００において、例えば、図７を参照して説明した無線通信部２２０は、無線通信インタフェース９１２（例えば、ＲＦ回路９１４）において実装されてもよい。また、アンテナ部２１０は、アンテナ９１６において実装されてもよい。
【０１９２】
（第２の応用例）
図２０は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１９３】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１９４】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１９５】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１９６】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２０に示したように複数のＢＢプロセッサ９３４及び複数のＲＦ回路９３５を含んでもよい。なお、図２０には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１９７】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１９８】
アンテナスイッチ９３６の各々は、無線通信インタフェース９３３に含まれる複数の回路（例えば、異なる無線通信方式のための回路）の間でアンテナ９３７の接続先を切り替える。
【０１９９】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２０に示したように複数のアンテナ９３７を有してもよい。なお、図２０にはカーナビゲーション装置９２０が複数のアンテナ９３７を有する例を示したが、カーナビゲーション装置９２０は単一のアンテナ９３７を有してもよい。
【０２００】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２０１】
バッテリー９３８は、図中に破線で部分的に示した給電ラインを介して、図２０に示したカーナビゲーション装置９２０の各ブロックへ電力を供給する。また、バッテリー９３８は、車両側から給電される電力を蓄積する。
【０２０２】
図２０に示したカーナビゲーション装置９２０において、図７を参照して説明した情報取得部２４１及び通信処理部２４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部２４１及び通信処理部２４３が実装されてもよい。この場合に、上記モジュールは、プロセッサを情報取得部２４１及び通信処理部２４３として機能させるためのプログラム（換言すると、プロセッサに情報取得部２４１及び通信処理部２４３の動作を実行させるためのプログラム）を記憶し、当該プログラムを実行してもよい。別の例として、プロセッサを情報取得部２４１及び通信処理部２４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部２４１及び通信処理部２４３を備える装置としてカーナビゲーション装置９２０又は上記モジュールが提供されてもよく、プロセッサを情報取得部２４１及び通信処理部２４３として機能させるためのプログラムが提供されてもよい。また、上記プログラムを記録した読み取り可能な記録媒体が提供されてもよい。
【０２０３】
また、図２０に示したカーナビゲーション装置９２０において、例えば、図７を参照して説明した無線通信部２２０は、無線通信インタフェース９３３（例えば、ＲＦ回路９３５）において実装されてもよい。また、アンテナ部２１０は、アンテナ９３７において実装されてもよい。
【０２０４】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部２４１及び通信処理部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２０５】
＜＜７．まとめ＞＞
ここまで、図５〜図２０を参照して、本開示の実施形態に係る装置及び処理を説明した。
【０２０６】
本開示の実施形態によれば、基地局１００は、コードブックを用いた非直交多重化の対象となる複数のレイヤのうちの、端末装置２００に割り当てられるレイヤを示す情報を取得する情報取得部１５５と、上記レイヤを端末装置２００に通知する通知部１５７と、を備える。
【０２０７】
また、本開示の実施形態によれば、端末装置２００は、コードブックを用いた非直交多重化の対象となる複数のレイヤのうちの、端末装置２００に割り当てられるレイヤを示す情報を取得する情報取得部２４１と、上記レイヤを示す上記情報に基づいて、上記レイヤについての通信処理を行う通信処理部２４３と、を備える。
【０２０８】
これにより、例えば、コードブックを用いた非直交多重化が用いられる場合に端末装置が当該端末装置に割り当てられたレイヤを知ることが可能になる。
【０２０９】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２１０】
例えば、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２１１】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、割当部、選択部、情報取得部、通知部及び／又は通信処理部）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、割当部、選択部、情報取得部、通知部及び／又は通信処理部）の動作を含む方法も、本開示に係る技術に含まれる。
【０２１２】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２１３】
なお、以下のような構成も本開示の技術的範囲に属する。
（１）
コードブックを用いた非直交多重化の対象となる複数のレイヤのうちの、端末装置に割り当てられるレイヤを示す情報を取得する取得部と、
前記レイヤを前記端末装置に通知する通知部と、
を備える装置。
（２）
前記通知部は、ダウンリンク制御情報の中で、前記レイヤを前記端末装置に通知する、前記（１）に記載の装置。
（３）
前記通知部は、前記ダウンリンク制御情報の中で、前記レイヤのコードワードの送信に使用される無線リソースを前記端末装置に通知する、前記（２）に記載の装置。
（４）
複数のコードブックグループのうちの、前記複数のレイヤに対応するコードブックグループを選択する選択部と、
前記コードブックグループに基づいて、前記複数のレイヤについての通信処理を行う通信処理部と、
をさらに備える、前記（１）〜（３）のいずれか１項に記載の装置。
（５）
前記複数のコードブックグループは、少なくとも、第１の数のレイヤに対応する第１のコードブックグループと、前記第１の数よりも小さい第２の数のレイヤに対応する第２のコードブックグループとを含む、前記（４）に記載の装置。
（６）
前記第１の数のレイヤは、許容可能な最大数のレイヤであり、
前記第２の数のレイヤは、許容可能な最大数よりも小さい数のレイヤである、
前記（５）に記載の装置。
（７）
前記第２のコードブックグループに含まれる少なくとも１つのコードブックは、前記第１のコードブックグループに含まれるいずれのコードブックとも、異なる変調度の信号要素を含むコードワードを含む、前記（５）又は（６）に記載の装置。
（８）
前記第２のコードブックグループに含まれる前記少なくとも１つのコードブックは、前記第１のコードブックグループに含まれるいずれのコードブックよりも、より高い変調度の信号要素を含むコードワードを含み、
より高い変調度の前記信号要素は、より少数のレイヤの信号要素がマッピングされる無線リソースにマッピングされる信号要素である、
前記（７）に記載の装置。
（９）
前記第２のコードブックグループは、少なくとも、第１の変調度の信号要素、及び前記第１の変調度とは異なる第２の変調度の信号要素とを含む、前記（５）〜（８）のいずれか１項に記載の装置。
（１０）
前記第２のコードブックグループに含まれる少なくとも１つのコードブックは、前記第１のコードブックグループに含まれるいずれのコードブックよりも、より多数のコードワードを含む、前記（５）〜（９）のいずれか１項に記載の装置。
（１１）
前記通信処理は、前記複数のレイヤについての送信処理である、前記（４）〜（１０）のいずれか１項に記載の装置。
（１２）
前記送信処理は、前記複数のレイヤの各々について、レイヤのデータから当該レイヤのコードワードを生成することを含む、前記（１１）に記載の装置。
（１３）
前記通信処理は、前記複数のレイヤについての受信処理である、前記（４）〜（１０）のいずれか１項に記載の装置。
（１４）
前記通知部は、前記コードブックグループ、又は、前記複数のレイヤ若しくは前記複数のレイヤのレイヤ数を、前記端末装置に通知する、前記（４）〜（１３）のいずれか１項に記載の装置。
（１５）
前記複数のレイヤの各々を端末装置に割り当てる割当部をさらに備え、
前記割当部は、トラフィックの変化に応じて、前記非直交多重化の対象となる前記複数のレイヤのレイヤ数を変更する、
前記（１）〜（１４）のいずれか１項に記載の装置。
（１６）
プロセッサにより、
コードブックを用いた非直交多重化の対象となる複数のレイヤのうちの、端末装置に割り当てられるレイヤを示す情報を取得することと、
前記レイヤを前記端末装置に通知することと、
を含む方法。
（１７）
コードブックを用いた非直交多重化の対象となる複数のレイヤのうちの、端末装置に割り当てられるレイヤを示す情報を取得する取得部と、
前記レイヤを示す前記情報に基づいて、前記レイヤについての通信処理を行う通信処理部と、
を備える装置。
（１８）
前記通信処理は、前記レイヤについての受信処理である、前記（１７）に記載の装置。
（１９）
前記通信処理は、前記レイヤについての送信処理である、前記（１７）に記載の装置。
（２０）
前記通信処理部は、複数のコードブックグループのうちの、前記複数のレイヤに対応するコードブックグループに基づいて、前記レイヤについての前記通信処理を行う、前記（１７）〜（１９）のいずれか１項に記載の装置。
（２１）
コードブックを用いた非直交多重化の対象となる複数のレイヤのうちの、端末装置に割り当てられるレイヤを示す情報を取得することと、
前記レイヤを前記端末装置に通知することと、
をプロセッサに実行させるためのプログラム。
（２２）
コードブックを用いた非直交多重化の対象となる複数のレイヤのうちの、端末装置に割り当てられるレイヤを示す情報を取得することと、
前記レイヤを前記端末装置に通知することと、
をプロセッサに実行させるためのプログラムを記録した読み取り可能な記録媒体。
（２３）
プロセッサにより、
コードブックを用いた非直交多重化の対象となる複数のレイヤのうちの、端末装置に割り当てられるレイヤを示す情報を取得することと、
前記レイヤを示す前記情報に基づいて、前記レイヤについての通信処理を行うことと、
を含む方法。
（２４）
コードブックを用いた非直交多重化の対象となる複数のレイヤのうちの、端末装置に割り当てられるレイヤを示す情報を取得することと、
前記レイヤを示す前記情報に基づいて、前記レイヤについての通信処理を行うことと、
をプロセッサに実行させるためのプログラム。
（２５）
コードブックを用いた非直交多重化の対象となる複数のレイヤのうちの、端末装置に割り当てられるレイヤを示す情報を取得することと、
前記レイヤを示す前記情報に基づいて、前記レイヤについての通信処理を行うことと、
をプロセッサに実行させるためのプログラムを記録した読み取り可能な記録媒体。
【符号の説明】
【０２１４】
１        システム
１０      ブロック
１１、１３、１５、１７  サブキャリア
１００    基地局
１０１    セル
１５１    割当部
１５３    選択部
１５５    情報取得部
１５７    通知部
１５９    通信処理部
２００    端末装置
２４１    情報取得部
２４３    通信処理部
【図１】
0006586962.tif 000004
【図２】
0006586962.tif 000005
【図３】
0006586962.tif 000006
【図４】
0006586962.tif 000007
【図５】
0006586962.tif 000008
【図６】
0006586962.tif 000009
【図７】
0006586962.tif 000010
【図８】
0006586962.tif 000011
【図９】
0006586962.tif 000012
【図１０】
0006586962.tif 000013
【図１１】
0006586962.tif 000014
【図１２】
0006586962.tif 000015
【図１３】
0006586962.tif 000016
【図１４】
0006586962.tif 000017
【図１５】
0006586962.tif 000018
【図１６】
0006586962.tif 000019
【図１７】
0006586962.tif 000020
【図１８】
0006586962.tif 000021
【図１９】
0006586962.tif 000022
【図２０】
0006586962.tif 000023